(57)【要約】【課題】撮影状況や用途に応じて動画撮像と静止画撮像とを好適に切り換えることが可能な撮像記録装置、撮像記録方法及びそれを用いたカメラを提供すること。【解決手段】本発明の画像記録装置では、例えばセルフタイマ撮影モード等といった所定の撮影モードに設定された状態で静止画撮像の開始を指示してから上記所定の撮影モードでの静止画撮像が開始されるまでの期間は動画撮像を行う。より詳細には例えばレリーズ操作から静止画撮像がなされるまでの期間は自動的に動画撮像を行うことを特徴とする。【選択図】      図１
2005094339.tif 000002
【特許請求の範囲】
【請求項１】
所定の撮影モードに設定された状態で静止画撮像の開始を指示してから上記所定の撮影モードでの静止画撮像が開始されるまでの期間は動画撮像を行うことを特徴とする撮像記録装置。
【請求項２】
上記所定の撮影モードはセルフタイマ撮影に係るものであり、レリーズ操作から静止画撮像がなされるまでの期間は自動的に動画撮像を行うことを更に特徴とする請求項１に記載の撮像記録装置。
【請求項３】
静止画撮像時に自動露出決定する際、カメラの自動露出決定プログラム線図上のシャッタ速度が手ぶれ限界速度より遅い値である場合は自動的に動画撮影モードに切り換え、動画撮像を行うことを特徴とする撮像記録装置。
【請求項４】
上記動画撮像状態において、前記シャッタ速度が手ぶれ限界速度よりも速い値になった場合は、動画撮像を続けたまま同時に静止画も撮像可能とすることを更に特徴とする請求項３に記載の撮像記録装置。
【請求項５】
所定の撮影モードに設定された状態で静止画撮像の開始を指示してから上記所定の撮影モードでの静止画撮像が開始されるまでの期間は動画撮像を行うことを特徴とする撮像記録方法。
【請求項６】
上記所定の撮影モードはセルフタイマ撮影に係るものであり、レリーズ操作から静止画撮像がなされるまでの期間は自動的に動画撮像を行うことを更に特徴とする請求項５に記載の撮像記録方法。
【請求項７】
静止画撮像時に自動露出決定する際、カメラの自動露出決定プログラム線図上のシャッタ速度が手ぶれ限界速度より遅い値である場合は自動的に動画撮影モードに切り換え、動画撮像を行うことを特徴とする撮像記録方法。
【請求項８】
上記動画撮像状態において、前記シャッタ速度が手ぶれ限界速度よりも速い値になった場合は、動画撮像を続けたまま同時に静止画も撮像可能とすることを更に特徴とする請求項７に記載の撮像記録方法。
【請求項９】
被写体像を静止画撮像又は動画撮像して画像信号を得る撮像手段と、
上記撮像手段で得られた画像信号に対して所定の画像処理を施す画像処理手段と、
上記静止画或いは動画を記録する記録手段と、
所定の撮影モードに設定するためのモード設定手段と、
上記モード設定手段により所定の撮影モードに設定された状態で静止画撮像の開始を指示してから上記所定の撮影モードでの静止画撮像が開始されるまでの期間は動画撮像を行うように制御する制御手段と、
を具備することを特徴とするカメラ。
【請求項１０】
上記所定の撮影モードはセルフタイマ撮影に係るものであり、
上記制御手段は、レリーズ操作から静止画撮像がなされるまでの期間は自動的に動画撮像を行うように制御することを更に特徴とする請求項９に記載のカメラ。
【請求項１１】
被写体像を静止画撮像又は動画撮像して画像信号を得る撮像手段と、
上記撮像手段で得られた画像信号に対して所定の画像処理を施す画像処理手段と、
上記静止画或いは動画を記録する記録手段と、
所定の撮影モードに設定するためのモード設定手段と、
上記モード設定手段により静止画撮影モードに設定された状態で、静止画撮像時に自動露出決定する際、カメラの自動露出決定プログラム線図上のシャッタ速度が手ぶれ限界速度より遅い値である場合は自動的に動画撮影モードに切り換え、動画撮像を行うように制御する制御手段と、
を具備することを特徴とするカメラ。
【請求項１２】
上記制御手段は、上記動画撮像状態において、上記シャッタ速度が手ぶれ限界速度よりも速い値になった場合は、動画撮像を続けたまま同時に静止画も撮像可能とするように制御することを更に特徴とする請求項１１に記載のカメラ。
【発明の詳細な説明】
【技術分野】
【０００１】
本発明は、静止画及び動画を撮像し記録する撮像記録装置等に係り、特に撮影状況や用途に応じて動画撮像と静止画撮像を好適に切り換えることが可能な撮像記録装置、撮像記録方法及びそれを用いたカメラに関するものである。
【背景技術】
【０００２】
従来、動画撮像可能な電子カメラや静止画撮像可能なビデオカメラが開発されている。
【０００３】
このようなカメラでは、動画撮像中に静止画撮像し、静止画撮像中に動画撮像することが可能である。また、動画や静止画を自動的に撮像する手段も提案されている。
【０００４】
この種の技術として、例えば特許文献１では、電源が投入されると自動的に撮像画像データを隠しファイルとして保存する撮像記録装置に関する技術が開示されている。
【０００５】
更に、特許文献２では、動画撮像中に画像の動きベクトル検出を行い、移動被写体が画面の所定領域に集中している場合は静止画撮像を行うことを特徴とする画像記録装置に関する技術が開示されている。
【特許文献１】特開２００３−１３４４３４号公報
【特許文献２】特開２００１−９４９２３号公報
【発明の開示】
【発明が解決しようとする課題】
【０００６】
しかしながら、特許文献１、２には、撮影状況や用途に応じて動画撮像と静止画撮像とを好適に切り換えることについて何等示唆も開示もされていない。
【０００７】
本発明は、上記問題に鑑みてなされたもので、その目的とするところは、撮影状況や用途に応じて動画撮像と静止画撮像とを好適に切り換えることが可能な撮像記録装置、撮像記録方法及びそれを用いたカメラを提供することにある。
【課題を解決するための手段】
【０００８】
上記目的を達成するために、本発明の第１の態様では、所定の撮影モードに設定された状態で静止画撮像の開始を指示してから上記所定の撮影モードでの静止画撮像が開始されるまでの期間は動画撮像を行うことを特徴とする画像記録装置が提供される。この第１の態様によれば、動画撮像と静止画撮像とを自動的に好適に切り換えることができる。
【０００９】
本発明の第２の態様では、上記第１の態様において、上記所定の撮影モードはセルフタイマ撮影に係るものであり、レリーズ操作から静止画撮像がなされるまでの期間は自動的に動画撮像を行うことを更に特徴とする画像記録装置が提供される。この第２の態様によれば、静止画撮像がなされる期間で自動的に動画撮像を行うことができる。
【００１０】
本発明の第３の態様では、静止画撮像時に自動露出決定する際、カメラの自動露出決定プログラム線図上のシャッタ速度が手ぶれ限界速度より遅い値である場合は自動的に動画撮影モードに切り換え、動画撮像を行うことを特徴とする画像記録装置が提供される。この第３の態様によれば、シャッタ速度が手ぶれ限界速度よりも遅い値の場合に、静止画撮像から動画撮像に自動的に切り換えることができる。
【００１１】
本発明の第４の態様では、上記第３の態様において、上記動画撮像状態において、前記シャッタ速度が手ぶれ限界速度よりも速い値になった場合は、動画撮像を続けたまま同時に静止画も撮像可能とすることを更に特徴とする画像記録装置が提供される。この第４の態様によれば、シャッタ速度が手ぶれ限界速度よりも速い値になった場合に、静止画撮像可能な状態に自動的に切り換えることができる。
【００１２】
本発明の第５の態様では、所定の撮影モードに設定された状態で静止画撮像の開始を指示してから上記所定の撮影モードでの静止画撮像が開始されるまでの期間は動画撮像を行うことを特徴とする画像記録方法が提供される。この第５の態様によれば、静止画撮像と動画撮像とを自動的に切り換えることができる。
【００１３】
本発明の第６の態様では、上記第５の態様において、上記所定の撮影モードはセルフタイマ撮影にかかるものであり、レリーズ操作から静止画撮像がなされるまでの期間は自動的に動画撮像を行うことを更に特徴とする画像記録方法が提供される。この第６の態様によれば、静止画撮像がなされる期間で自動的に動画撮像を行うことができる。
【００１４】
本発明の第７の態様では、静止画撮像時に自動露出決定する際、カメラの自動露出決定プログラム線図上のシャッタ速度が手ぶれ限界速度より遅い値である場合は自動的に動画撮影モードに切り換え、動画撮像を行うことを特徴とする画像記録方法が提供される。この第７の態様によれば、シャッタ速度が手ぶれ限界速度よりも遅い値の場合に、静止画撮像から動画撮像に自動的に切り換えることができる。
【００１５】
本発明の第８の態様では、上記第７の態様において、上記動画撮像状態において、前記シャッタ速度が手ぶれ限界速度よりも速い値になった場合は、動画撮像を続けたまま同時に静止画も撮像可能とすることを更に特徴とする画像記録方法が提供される。この第８の態様によれば、シャッタ速度が手ぶれ限界速度よりも速い値になった場合に、静止画撮像可能な状態に自動的に切り換えることができる。
【００１６】
本発明の第９の態様では、被写体像を静止画撮像又は動画撮像して画像信号を得る撮像手段と、上記撮像手段で得られた画像信号に対して所定の画像処理を施す画像処理手段と、上記静止画或いは動画を記録する記録手段と、所定の撮影モードに設定するためのモード設定手段と、上記モード設定手段により所定の撮影モードに設定された状態で静止画撮像の開始を指示してから上記所定の撮影モードでの静止画撮像が開始されるまでの期間は動画撮像を行うように制御する制御手段と、を具備することを特徴とするカメラが提供される。この第９の態様によれば、静止画撮像と動画撮像とを好適に切り換えることができる。
【００１７】
本発明の第１０の態様では、上記第９の態様において、上記所定の撮影モードはセルフタイマ撮影に係るものであり、上記制御手段は、レリーズ操作から静止画撮像がなされるまでの期間は自動的に動画撮像を行うように制御することを更に特徴とするカメラが提供される。この第１０の態様によれば、レリーズ操作から静止画撮像がなされる期間で自動的に動画撮像を行うことができる。
【００１８】
本発明の第１１の態様では、被写体像を静止画撮像又は動画撮像して画像信号を得る撮像手段と、上記撮像手段で得られた画像信号に対して所定の画像処理を施す画像処理手段と、上記静止画或いは動画を記録する記録手段と、所定の撮影モードに設定するためのモード設定手段と、上記モード設定手段により静止画撮影モードに設定された状態で、静止画撮像時に自動露出決定する際、カメラの自動露出決定プログラム線図上のシャッタ速度が手ぶれ限界速度より遅い値である場合は自動的に動画撮影モードに切り換え、動画撮像を行うように制御する制御手段とを具備することを特徴とするカメラが提供される。この第１１の態様によれば、シャッタ速度が手ぶれ限界速度よりも遅い値の場合に、静止画撮像から動画撮像に自動的に切り換えることができる。
【００１９】
本発明の第１２の態様では、上記第１１の態様において、上記制御手段は、上記動画撮像状態において、上記シャッタ速度が手ぶれ限界速度よりも速い値になった場合は動画撮像を続けたまま同時に静止画も撮像可能とするように制御することを更に特徴とするカメラが提供される。この第１２の態様によれば、シャッタ速度が手ぶれ限界速度よりも速い値になった場合に、静止画撮像可能な状態に自動的に切り換えることができる。
【発明の効果】
【００２０】
本発明によれば、撮影状況や用途等に応じて動画撮像と静止画撮像を好適に切り換えることが可能な撮像記録装置、撮像記録方法及びそれを用いたカメラを提供することができる。
【発明を実施するための最良の形態】
【００２１】
以下、図面を参照して本発明の実施の形態について説明する。
【００２２】
図１は、本発明の一実施の形態に係る撮像記録装置の一例としてのカメラのブロック構成図である。図１において、カメラの所定位置にはズームレンズ系１が配設され、当該ズームレンズ系１の入射光の光路上にはＣＣＤ等の撮像素子２が配設されている。この撮像素子２の出力は、撮像回路３、Ａ／Ｄ変換回路４を介してバスライン２４に接続されている。バスライン２４には、ドライブコントローラ７及びメディアドライブ６を介してディスク状又はカード状の記録媒体５が接続され、外部Ｉ／Ｆ部９を介して外部入出力端子８が接続され、ビデオエンコーダ１１を介してビデオ出力端子１０が接続され、ビデオエンコーダ１１及びＬＣＤドライバ１２を介してＬＣＤ表示部１３が接続されている。
【００２３】
更に、このバスライン２４には、データの一時記憶用のＲＡＭ１４、各種の制御プログラムや各種データ処理用の情報等を記憶したＲＯＭ１５、信号処理部１６、システムコントローラ１７が接続されている。システムコントローラ１７はカメラ全体の制御を司るものであり、レンズ駆動制御回路２２を介してズームレンズ系駆動用のレンズ駆動部２３と接続されるほか、閃光発光を行うためのストロボ発光部１９、モード設定等各指示の入力を行う操作部１８、各部に電源を供給する電源部２０とも接続されている。電源部２０には、外部からの電源供給を受けるための外部電源入力端子２１が設けられている。
【００２４】
上記操作部１８には、静止画撮影モード／動画撮影モード／静止画・動画マルチ撮影モード（以下、マルチ撮影モードと称する）に切り換えるためのモード選択スイッチや、撮影オプション設定をするための撮影オプション設定スイッチが含まれている。撮影オプション設定に関しては、上記各モード設定時のいずれにおいても、所定の撮影オプションを設定することが可能となっている。例えば、静止画撮影モードに設定されている場合において、更にセルフタイマ撮影モードをオプションとして設定可能となっている。
【００２５】
尚、請求項記載の撮像手段とは撮像素子２等に相当し、画像処理手段とは信号処理部１６等に相当し、記憶手段とはＲＡＭ１４等に相当し、モード設定手段とは操作部１８等に相当し、制御手段とはシステムコントローラ１７等に相当する。
【００２６】
このような構成において、撮像素子２が、ズームレンズ系１により結像された被写体像を光電変換して撮像信号を出力すると、後段の撮像回路３は当該撮像信号を処理し、Ａ／Ｄ変換回路４は更にデジタルの画像データに変換する。信号処理回路１６は、この画像データのＪＰＥＧ圧縮伸張処理、ＭＰＥＧ伸長処理等の各種信号処理等を行う。この信号処理回路１６による信号処理の際には、一時的記憶用としてＲＡＭ１４が用いられる。
【００２７】
画像データ等の記録用のディスク状又はカード状の記録媒体５がメディアドライブ６に装着されると、当該該記録媒体５にデータが記録され、或いはデータが読み込まれることになる。このとき、ドライブコントローラ７により、メディアドライブ６の動作が制御される。この記録媒体５から画像データが読み込まれた場合には、バスライン２４を介して信号処理部１６に送られ、上記したのと同様の各種信号処理がなされる。
【００２８】
パソコン等の周辺機器は外部入出力端子（ＵＳＢ端子）８、外部Ｉ／Ｆ回路９を介してバスライン２４に接続される。周辺機器の保持する画像データ等は、外部入出力端子８、外部Ｉ／Ｆ回路９を介して取り込まれ、ドライブコントローラ７の制御の下、メディアドライブ６が駆動され、記録媒体５に記録されるようになっている。
【００２９】
ビデオエンコーダ１１では、Ａ／Ｄ変換回路４でＡ／Ｄ変換された画像信号、又は記録媒体５から読み出され信号処理部１６でＪＰＥＧ伸長処理された画像信号がエンコードされ、ＬＣＤ表示部１３では所定の表示がなされる。このとき、ＬＣＤドライバ１２によりＬＣＤ表示部１３が駆動される。更に、このカメラでは、ビデオ出力端子１０を介した映像信号の外部出力も可能となっている。
【００３０】
以下、本カメラによる特徴的な動作を更に詳細に説明する。
【００３１】
この実施の形態に係る撮像記録装置の一例としてのカメラでは、所定の撮影モードに設定された状態で静止画撮像を開始した後、上記所定の撮影モードでの静止画撮像がなされるまでの期間は動画撮像を行うようにシステムコントローラ１７が各部を制御することを特徴の１つとする。ここで、この所定の撮影モードとは、例えば静止画撮影モードで且つセルフタイマ撮影のための撮影オプション設定がなされた状態をいい、操作部１８のレリーズ操作から静止画撮像がなされるまでの期間は自動的に動画撮像を行うようにシステムコントローラ１７が各部を制御する。これは、セルフタイマ撮影で記念撮影を行うような状況下では、被写体が静止してポーズを取るまでの期間が緊張感が有る面白い瞬間であることに鑑み、そのような状況を記念撮影の静止画と関連した動画として記録することとしたものである。このような記録を行えば、静止画の再生時に関連する動画も一緒に再生するといった楽しみ方もでき、よりユーザニーズに沿ったものとなる。
【００３２】
更に、この実施の形態に係る撮像記録装置の一例としてのカメラでは、静止画撮像時に自動露出決定する際、カメラの自動露出決定プログラム線図上のシャッタ速度が手ぶれ限界速度より遅い値の場合は自動的に動画撮影モードに切り換え、動画撮像を行うことを特徴の１つとする。これは、ＡＥプログラム線図上、手ぶれ限界を超える状況下では手ぶれの影響を受けた静止画を記録するよりも（或いは静止画を記録できないよりも）、動画を記録した方がユーザニーズに沿うことに鑑みたものである。この動作によれば、例えば被写体輝度が小さい場合や絞り優先モード、ＩＳＯ感度固定した場合等において、単に撮影不可とするのではなく、動画を自動的に記録することが可能となる。
【００３３】
更に、この実施の形態に係る撮像記録装置の一例としてのカメラでは、上記動画の撮像中に上記シャッタ速度が手ぶれ限界速度よりも速い値になった場合は、動画撮像を続けたまま同時に静止画も撮像可能とすることを更に特徴とする。これは、上述の如く自動的に動画に切り換わった後に、被写体の状況が手ぶれせずに静止画撮影可能な状況に変わった場合には静止画を撮像しても問題はないことに鑑みたものである。この場合でも、動画の記録が途切れることはなく、動画も継続して記録されるようにしている。
【００３４】
以下、図２のフローチャートを参照して、本発明の一実施の形態に係る撮像記録装置としてのカメラによる静止画撮影モード設定時の動作を詳細に説明する。
【００３５】
この動作は実施の形態に係る撮像記録方法にも相当するものである。
【００３６】
静止画撮影モード設定時においては、システムコントローラ１７は、ＲＯＭ１５の制御プログラム等を参照して、以下に説明する一連の動作を実行することになる。以下の説明では、便宜上、「レリーズボタンの押下」には、レリーズボタンの半押し（１ｓｔレリーズのオン）、全押し（２ｎｄレリーズのオン）の双方が含まれるものとする。
【００３７】
操作部１８に概念上含まれるパワースイッチがオンされ、カメラが起動されると（ステップＳ１０１）、操作部１８に概念上含まれるモード選択スイッチの操作によるモード選択が可能となる（ステップＳ１０２）。この状態下で、システムコントローラ１７は、ステップＳ１０２で選択されたモードが静止画撮影モードであるか否かを判断し（ステップＳ１０３）、静止画撮影モードでない場合には他のモードに移行し、詳細は本発明の特徴部分ではないので省略するが、所定の動作を行った後に上記ステップＳ１０２に戻る（ステップＳ１０４）。一方、上記ステップＳ１０３において、上記ステップＳ１０２で選択されたモードが静止画撮影モードであると判断した場合には、システムコントローラ１７は、静止画撮影モードに移行して所定の動作（設定）を行う（ステップＳ１０５）。
【００３８】
続いて、システムコントローラ１７は、撮影オプション設定スイッチの操作により撮影オプション設定がなされているか否かを判断し（ステップＳ１０６）、当該撮影オプションの設定がなされていない場合には静止画撮影動作を行う。即ち、システムコントローラ１７は、操作部１８に概念上含まれる静止画撮影用のレリーズボタンの押下を検知すると（ステップＳ１１３）、静止画撮影を行い（ステップＳ１１４）、本動作を終了する。
【００３９】
その一方、撮影オプション設定がなされている場合には（ステップＳ１０６）、システムコントローラ１７は、設定されているのがセルフタイマ撮影モードか否かを判断し（ステップＳ１０７）、当該セルフタイマ撮影モードでない場合には上記ステップＳ１０６に戻り上記動作を繰り返す。これに対して、設定されているのがセルフタイマ撮影モードである場合には、ステップＳ１０８以降の動作に進むことになる。
【００４０】
すなわち、システムコントローラ１７は、静止画撮影準備を行うと共に動画撮影準備を行い（ステップＳ１０８）、その後、静止画撮影用のレリーズボタンの押下を検知すると（ステップＳ１０９）、自動的に動画の撮影を開始し（ステップＳ１１０）、セルフタイマに係るタイマ時間が経過した後に静止画撮影を行う（ステップＳ１１１）。そして、動画撮影開始から一定時間経過後（例えば１０秒間）、或いは動画撮影停止操作がなされたことを検知すると、動画撮影を停止し（ステップＳ１１２）、本動作を終了する。
【００４１】
以上の動作によれば、ユーザにより任意にオプション設定されたセルフタイマ撮影モードに基づいて記念撮影を行うような状況下において、被写体が静止してポーズを取るまでの緊張感が有る興味深い瞬間を動画として自動的に記録することが可能となる。
【００４２】
次に、図３のフローチャートを参照して、本発明の一実施の形態に係る撮像記録装置としてのカメラによるマルチ撮影モード設定時の動作を詳細に説明する。
【００４３】
以下では、図４のＡＥプログラム線図を適宜参照しつつ説明を進める。
【００４４】
マルチ撮影モード設定時においては、システムコントローラ１７は、ＲＯＭ１７の制御プログラム等を参照して、以下に説明する一連の動作を実行することになる。
【００４５】
尚、この動作は実施の形態に係る撮像記録方法にも相当するものである。
【００４６】
操作部１８に概念上含まれるパワースイッチがオンされ、カメラが起動されると（ステップＳ２０１）、操作部１８に概念上含まれるモード選択スイッチの操作によるモード選択が可能となる（ステップＳ２０２）。この状態下で、システムコントローラ１７は、ステップＳ２０２で選択されたモードがマルチ撮影モードであるか否かを判断し（ステップＳ２０３）、マルチ撮影モードでない場合には他のモードに移行し、詳細は本発明の特徴部分ではないので省略するが、所定の動作を行った後に上記ステップＳ２０２に戻る（ステップＳ２０４）。一方、上記ステップＳ２０３において、上記ステップＳ２０２で選択されたのがマルチ撮影モードであると判断した場合には、システムコントローラ１７は、マルチ撮影モードに移行して所定の動作（設定）を行う（ステップＳ２０５）。
【００４７】
続いて、システムコントローラ１７は、操作部１８に概念上含まれる静止画撮影用のレリーズボタンの半押し（１ｓｔレリーズのオン）を検知すると（ステップＳ２０６）、自動露出決定を行い、図４に示されるＡＥプログラム線図を参照してシャッタ速度を算出する（ステップＳ２０７）。この図４のＡＥプログラム線図は、ＥＶ値に基づいて絞りとシャッタ速度の組み合わせを決めるものである。例えば、図４に示したＡＥプログラム線図でＥＶ値がＥＶ９であれば、絞りはＦ４、シャッタ速度は１／３０秒と算出される。
【００４８】
システムコントローラ１７は、適正露出のシャッタ速度が手ぶれ限界速度（図４の例では１／３０秒）よりも低速か否かを判断し（ステップＳ２０８）、手ぶれ限界速度よりも低速でない場合には静止画撮影を行い（ステップＳ２１４）、動作を終了する。
【００４９】
一方、上記ステップＳ２０８にて、適正露出のシャッタ速度が手ぶれ限界速度よりも低速である場合には、システムコントローラ１７は、操作部１８に概念上含まれる静止画撮影用のレリーズボタンの全押し（２ｎｄレリーズのオン）がなされたか否かを判断し（ステップＳ２０９）、当該レリーズボタンの全押しがなされた場合には自動動画撮影を開始し（ステップＳ２１０）、ステップＳ２１１に進む。上記レリーズボタンの全押しがなされていない場合には、動画撮影を開始することなくステップＳ２１１に進む。
【００５０】
このステップＳ２１１では、システムコントローラ１７は、露出条件を変更する。露出条件の変更としては、画角変更、露出補正、感度設定変更、ストロボ設定変更等が含まれるが、これらに限定されるものではないことは勿論である。
【００５１】
次いで、システムコントローラ１７は、再び静止画撮影用のレリーズボタンが半押し（１ｓｔレリーズのオン）されたか否かを判断し（ステップＳ２１２）、当該レリーズボタンの半押しがなされた場合には上記ステップＳ２０７に戻って上記手ぶれチェックに係る動作を繰り返し、当該レリーズボタンの半押しがなされない場合には動画撮影開始から一定時間経過後、或いは動画撮影停止操作により動画撮影を停止し（ステップＳ２１３）、全ての動作を終了することになる。
【００５２】
以上の動作によれば、ＡＥプログラム線図上でシャッタ速度が手ぶれ限界速度を超える状況下で、単に静止画記録を不可とするのではなく、手ぶれの影響を受けた静止画に代えて動画を自動的に所定期間だけ記録することができる。
【００５３】
以上説明したように、本発明の実施の形態によれば、撮影状況（手ぶれ状態等）や用途（セルフタイマ撮影等）に応じて動画撮像と静止画撮像を自動的に好適に切り換えることが可能な撮像記録装置、撮像記録方法及びそれを用いたカメラを提供することができる。
【００５４】
即ち、本発明の実施の形態によれば、静止画撮影モードに設定され、更に撮影オプション設定として更にセルフタイマ撮影モードに設定されている場合に、レリーズボタンの操作（１ｓｔレリーズのオン）で静止画撮像の開始指示がなされたときに、当該静止画撮像がなされるまでの間の少なくとも一部の期間で動画撮像を行うことができる。
【００５５】
また、静止画撮像モード下で静止画撮像するときに自動露出決定し、カメラのＡＥプログラム線図上のシャッタ速度が手ぶれ限界速度より遅い値である場合に、自動的に静止画撮影モードから動画撮影モードに切り換えて、動画撮像を自動的に行うことができる。また、この動画撮像状態下でシャッタ速度が手ぶれ限界速度よりも速い値になった場合は上記動画撮像を続けたまま同時に静止画も撮像可能とすることもできる。
【００５６】
以上、本発明の実施の形態について説明したが、本発明はこれに限定されることなくその趣旨を逸脱しない範囲で種々の改良・変更が可能であることは勿論である。
【００５７】
例えば、上記実施の形態では、撮像記録装置の一例としてカメラへの適用例を挙げて説明したが、これに限定されることなく、撮像機能付きの携帯電話機、撮像機能付きのＰＤＡを始めとする各種モバイル機器に適用可能であることは勿論である。
【図面の簡単な説明】
【００５８】
【図１】本発明の一実施の形態に係る撮像記録装置としてのカメラの構成図。
【図２】本発明の一実施の形態に係る撮像記録装置としてのカメラによる静止画撮影モード時の動作を示すフローチャート図。
【図３】本発明の一実施の形態に係る撮像記録装置としてのカメラによるマルチ撮影モード時の動作を示すフローチャート図。
【図４】本発明の一実施の形態に係る撮像記録装置としてのカメラが採用するＡＥプログラム線図の構成例を示す図。
【符号の説明】
【００５９】
１・・・ズームレンズ系、２・・・撮像素子、３・・・撮像回路、４・・・Ａ／Ｄ変換回路、５・・・記録媒体、６・・・メディアドライブ、７・・・ドライブコントローラ、８・・・外部入出力端子、９・・・外部Ｉ／Ｆ部、１０・・・ビデオ出力端子、１１・・・ビデオエンコーダ、１２・・・ＬＣＤドライバ、１３・・・ＬＣＤ表示部、１４・・・ＲＡＭ、１５・・・ＲＯＭ、１６・・・ＡＳＩＣ、１７・・・システムコントローラ、１８・・・操作部、１９・・・ストロボ発光部、２０・・・電源部、２１・・・外部電源入力端子、２２・・・レンズ駆動制御回路、２３・・・レンズ駆動部、２４・・・バスライン。
【図１】
2005094339.tif 000003
【図２】
2005094339.tif 000004
【図３】
2005094339.tif 000005
【図４】
2005094339.tif 000006